(57)【要約】  膨張式アイテムを修理し膨張させるためのキットは、ハウジングと、ハウジング内に収納されたコンプレッサーアッセンブリーと、コンプレッサーアッセンブリーに接続された入口と、シール液用のコンテナアッセンブリーと入口に接続されるように適合された座部を有している接続デバイスと、コンテナアッセンブリーが接続デバイスに接続されたときに自動的に開かれるとともに、コンテナアッセンブリーが接続デバイスから切り離されたときに入口を座部から流体的に切り離すような第一の位置に弾性的に維持されるように構成されたバルブと、コンプレッサーアッセンブリーに流体的に接続されたフレキシブルチューブを備えている。特に、接続デバイスは、バルブが第一の位置にあるときに入口に流体的に接続されるようにバルブに流体的に接続された出口を備えており、フレキシブルチューブは出口に接続されている。
2013527050.tif 000002
【特許請求の範囲】
【請求項１】
膨張式アイテムを修理し膨張させるためのキットであり、ハウジング（２）と、前記ハウジング（２）内に収納されたコンプレッサーアッセンブリー（Ｃ）と、前記コンプレッサーアッセンブリー（Ｃ）に接続された入口（３４）と、シール液用のコンテナアッセンブリー（３）と前記入口（３４）に接続されるように適合された座部（３３）を有している接続デバイス（２６）と、前記コンテナアッセンブリー（３）が前記接続デバイス（２６）に接続されたときに自動的に開かれるとともに、前記コンテナアッセンブリー（３）が前記接続デバイス（２６）から切り離されたときに前記入口（３４）を前記座部（３３）から流体的に切り離すような第一の位置に弾性的に維持されるように構成されたバルブ（３６）と、前記コンプレッサーアッセンブリー（Ｃ）に流体的に接続されたフレキシブルチューブ（３８）を備えているキットにおいて、前記接続デバイス（２６）は、前記バルブ（３６）が第一の位置にあるときに前記入口（３４）に流体的に接続されるように前記バルブ（３６）に流体的に接続された出口（３７）を備えており、前記フレキシブルチューブ（３８）は前記出口（３７）に接続されていることを特徴とするキット。
【請求項２】
前記接続デバイス（２６）は、前記座部（３３）を少なくとも部分的に規定する管状体（４２）と、前記入口（３４）と前記出口（３７）を規定する前記管状体（４２）に接続された流体部（４１）を備えていることを特徴とする請求項１に記載のキット。
【請求項３】
前記バルブ（３６）は、前記バルブが前記第一の位置にあるときに前記管状体（４２）に接合して配置される中心体（４５）と、前記接続デバイス（２６）の中をスライドする少なくとも一つのステム（４７）を有しているシャッター（４４）を備えていることを特徴とする請求項２に記載のキット。
【請求項４】
前記ステム（４７）は前記コンテナアッセンブリー（３）と共働するように適合されており、前記シャッター（４４）は第二のステム（４６）を備えており、前記流体部（４１）は、流体的に前記チャンバー（４３）と前記出口（３７）の間に配置され、前記コンテナアッセンブリー（３）が前記入口（３４）に流体的に接続されたときに前記第二のステム（４６）の少なくとも一部を収納する座部（５０）を規定していることを特徴とする請求項３に記載のキット。
【請求項５】
前記管状体（４２）は、前記少なくとも一つのステム（４７）をガイドするように構成されていることを特徴とする請求項４または５に記載のキット。
【請求項６】
前記少なくとも一つのステム（４７）と前記第二のステム（４６）と前記座部（５０）は、前記コンテナアッセンブリーが前記接続デバイス（２６）に接続されたとき、前記シャッター（４４）が前記第一の位置をいったん離れたなら、前記第二のステム（４６）が前記座部（５０）と連結しそれによってガイドされるように構成されていることを特徴とする請求項４および５に記載のキット。
【請求項７】
前記第二のステム（４６）が放射状凹部（５１）を備えていることを特徴とする請求項５または６に記載のキット。
【請求項８】
前記バルブ（３６）に接続可能な入口ポート（２３）と出口ポート（２７）を有しているシール液用のコンテナアッセンブリー（３）を備えていることを特徴とする先行請求項のいずれかに記載のキット。
【発明の詳細な説明】
【技術分野】
【０００１】
本発明は、膨張式アイテム、特にタイヤを膨張させ修理するためのキットに関する。
【背景技術】
【０００２】
電気作動コンプレッサーアッセンブリーと、必要時にコンプレッサーアッセンブリーから流体ラインを通って来る圧縮空気流によってタイヤの中に注入されるシール液用のコンテナを備えているタイヤを修理し膨張させるためのキットが知られている。
【０００３】
同一出願人のＷＯ−Ａ１−０８０３５１６３は、コンプレッサーアッセンブリーがハウジング内に収納されており、必要時に、使用者によってシール液コンテナがハウジングの開口に、コンプレッサーとの流体接続を決めるように接続されるキットを開示している。
【０００４】
前に開示されたキットは、コンプレッサーに直接接続された、シール液コンテナ用の接続開口に平行に配置されたフレキシブルチューブをさらに備えている。さらに、キットは、シール液コンテナに向かうかフレキシブルチューブに向かう圧縮空気経路を自動的および代替的に選択するように構成された逆止め弁のシステムを備えている。
【発明の概要】
【０００５】
製造コストが低減されるとともに前に開示された機能を有している膨張式アイテムを膨張させて修理するためにキットを提供することが本発明の目的である。
【０００６】
本発明の目的は、請求項１による膨張式アイテムを膨張させ修理するためのキットによって得られる。
【図面の簡単な説明】
【０００７】
本発明のより良い理解のために、その好適な実施形態が、非限定的な例を単に通して、また添付図面を参照していま開示される。
【図１】図１は、本発明による膨張式アイテムを修理し膨張させるためのキットの斜視図である。
【図２】図２は、第一の動作位置にある図１の接続コンポーネントの部分断面図である。
【図３】図３は、接続コンポーネントが第二の動作位置にある図２の断面平面に垂直な平面に沿った断面図である。
【発明を実施するための形態】
【０００８】
図１において、数字１は、膨張式アイテム、特にタイヤを修理し膨張させるためのキットを示している。キット１は、ハウジング２と、好ましくはプラグＳと代替コンプレッサーによって動作可能な電気モーターから成る（模式的に示された）コンプレッサーアッセンブリーＣと、ハウジング２に切り離し可能に接続され、既知のタイプのシール液を包含しているコンテナアッセンブリー３を備えている。
【０００９】
特に、ハウジング２は、実質的に平行六面体状であり、コンプレッサーアッセンブリーＣを収納する内側チャンバーを規定している。ハウジング２は、ベース壁６と、側壁７（それらの二つだけが図１に示されている）と、ベース壁６に実質的に平行な上面壁１０を備えている。
【００１０】
キット１は、ハウジング２の中に収納された、コンテナアッセンブリー３と共働する、以下に詳しく明示されるスナップ式接続デバイス２６をさらに備えている。
【００１１】
キット１のコンテナアッセンブリー３は、シール液を包含しているチャンバーを規定しているボトル１９と、ボトル１９のねじ付き首に好ましくはねじ止めされた流体ユニット２１を備えている。
【００１２】
特に、流体ユニット２１は、コンプレッサーアッセンブリーＣに接続され得る入口開口２３と、出口開口２４に接続されたフレキシブルチューブ２７によって使用時に修理されるタイヤに接続され得る出口開口２４を規定している。
【００１３】
コンテナアッセンブリー３は、入口開口２３と出口開口２４の間に配置された、圧縮空気流が入口開口２３を通過したときに自動的に開くように構成された（図示しない）バルブをさらに備えている。
【００１４】
同一出願人によって提出された特許出願ＷＯ−Ａ１−２００５０８４９６８によるバルブが好ましくは使用される。
【００１５】
コンテナアッセンブリー３は、ベース壁６に支持された接続デバイス２６によってハウジング２に流体的および機械的に接続されている。
【００１６】
接続デバイス２６（図２）は、ハウジング２に堅く接続されたベース２８と、ベース２８に重なっており、使用時に、コンテナアッセンブリー３、特に、入口開口２３と出口開口２４を規定しているコンテナ３の流体ユニット２１を支持するガイドエレメント２９を備えている。
【００１７】
ベース２８は、ベース壁６の反対側に開いており、ベース壁６に垂直な軸Ａを有している座部３３と、座部３３をコンプレッサーアッセンブリーＣに流体的に接続するダクト３４を規定している。
【００１８】
スナップ式接続デバイス２６は、軸Ａに垂直な方向にスライドし得るとともに、ベース２８によって規定されたハウジングの中に配置された停止部３５を備えている。
【００１９】
特に、停止部３５は、コンテナアッセンブリー３、特に分配要素２１の抜き取りを停止部３５が避ける所定の閉じ位置を維持するスプリングである。
【００２０】
本発明によれば、バルブ３６は、ダクト３４と、コンテナアッセンブリー３に並行してコンプレッサーＣに接続されるチューブ２７と同様のフレキシブルチューブ３８に接続された出口ダクト３７の間に配置されている。
【００２１】
特に、ベース２８は、ベース壁６の適切な窓の中に収納され得るとともにタイヤを膨張させるか修理するためにキット１が使用されるときに地面に接触するように適合された支持体３９と、支持体３９の上部に装着されているとともに座部３３を規定している輪郭部４０と、ダクト３４と３７を規定しているとともに座部３３に接続された流体部４１を備えている。本発明のある好適な実施形態によれば、座部３３は、図３に示されるように、好ましくは流体ユニット２１の輪郭を近似する、特に停止部３５の下方に配置された部分の輪郭を近似する内側成形輪郭を有しているチューブ壁４２によって輪郭部によって規定されている。好ましくは、流体部４１は、支持体３９に対してつるされるようにチューブ壁４２の端部に接続されている。流体部４１は、流体ユニット２１の軸的反対部においてチューブ壁４２に接続されており、第一に、座部３３にまたダクト３４と３７に流体的に接続されたチャンバー４３を規定している。
【００２２】
さらに、チャンバー４３は、軸Ａに沿って移動可能であり、中心体４５と、中心体４５に対して反対側にあるステム４６とステム４７を備えているシャッター４４を収納している。シャッター４４は、チャンバー４３に収納されたスプリング４８によってチューブ壁４２の適当な凸部４９にあたる最終停止位置に維持される。特に、ステム４６，４７は、コンプレッサーＣによって発生される空気流をコントロールするために所定の長さを有している。
【００２３】
ステム４６は、スプリング４８に囲まれており、中心体４５が凸部４９と接触したとき、座部３３が流体的に密閉されている間、チャンバー４３によってダクト３４を出口ダクト３７と流体的に接続するような形状を有している。
【００２４】
ステム４７は、コンテナアッセンブリー３がスナップ式接続デバイス２６に接続され、停止部３５が流体ユニット２１を軸方向に妨げるとき、凸部４９からの中心体４５の離脱を生じさせるような軸延長部を有している。特に、ステム４６と４７は、コンテナ３がスナップ式接続デバイス２６に接続された前節で示された位置において、ステム４６が出口ダクト３７を閉じる一方で、入口開口２３とダクト３４が座部３３とチャンバー４３によって流体的に接続されるようなサイズを有している。
【００２５】
本発明のある好適な実施形態によれば、シャッター４４の軸方向移動は、二つのステム４６，４７の一つと流体部４１またはチューブ壁４２の間のそれぞれの連結によってガイドされる。たとえば、流体部４１は、軸Ａに同軸で、ステム４６を収納する大きさに作られた座部５０を備えている。座部５０は、流体的にチャンバー４３と出口ダクト３７の間に配置されており、ステム４６が座部５０に係合したときも、ステム４７はチューブ壁４２によってまだ係合されガイドされている。好ましくは、ステム４７は、ステム４６が座部５０に係合されそれによってガイドされた後に、チューブ壁４２から離れてもよい。特に、コンテナアッセンブリー３が接続デバイス２６に接続されている間、中心体４５が凸部４９から分離された後にだけ、ステム４６は座部５０と連結する。
【００２６】
有利なことに、ステム４６および／またはステム４７は、空気がチャンバー４３の中へ出口ダクト３７に向かって流れるときに負荷損失を少なくとも減少させるように構成された放射状および／または軸方向凹部５１を有している。特に、形状が図２に示された通りであるとき、コンテナアッセンブリー３が接続デバイス２６に接続されたとき、ステム４７の凹部５１は座部５０の中に閉じられる一方、ステム４６の凹部５１はチャンバー４３の外側にある。
【００２７】
ここに開示され示されたキット１の利点は以下の通りである。
【００２８】
バルブ３６に接続された出口ダクト３７の形状は、圧縮空気流を単一バルブで自動的にコントロールすることを可能にする。バルブ３６は接続デバイス２６に統合されており、比較的大きく、より容易に作製され装着される。接続デバイス２６は、コンテナアッセンブリー３をハウジング２とコンプレッサーアッセンブリーＣに機械的かつ流体的にそれぞれ接続する統合ブロックを規定している。さらに、装着が平行に、すなわち、一方では接続デバイス２６がバルブ３６と、他方ではハウジング２とコンテナアッセンブリー３がおこなわれ得るようにバルブ３６が接続デバイスの中に統合されている。
【００２９】
シャッター４４の移動は、ステム４６，４７と接続デバイス２６の間の連結によって保証される。
【００３０】
ここに開示され示されたキット１は、添付の特許請求の範囲で明示される保護範囲から逸脱しない範囲で修正または変更されてもよいことは最終的に明白である。
【図１】
2013527050.tif 000003
【図２】
2013527050.tif 000004
【図３】
2013527050.tif 000005
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
膨張式アイテムを修理し膨張させるためのキットであり、ハウジング（２）と、前記ハウジング（２）内に収納されたコンプレッサーアッセンブリー（Ｃ）と、前記コンプレッサーアッセンブリー（Ｃ）に接続された入口（３４）と、シール液用のコンテナアッセンブリー（３）と前記入口（３４）に接続されるように適合された座部（３３）を有している接続デバイス（２６）と、前記コンテナアッセンブリー（３）が前記接続デバイス（２６）に接続されたときに自動的に開かれるとともに、前記コンテナアッセンブリー（３）が前記接続デバイス（２６）から切り離されたときに前記入口（３４）を前記座部（３３）から流体的に切り離すような第一の位置に弾性的に維持されるように構成されたバルブ（３６）と、前記コンプレッサーアッセンブリー（Ｃ）に流体的に接続されたフレキシブルチューブ（３８）を備えているキットにおいて、前記接続デバイス（２６）は、前記バルブ（３６）が第一の位置にあるときに前記入口（３４）に流体的に接続されるように前記バルブ（３６）に流体的に接続された出口（３７）を備えており、前記フレキシブルチューブ（３８）は前記出口（３７）に接続されていることを特徴とするキット。
【請求項２】
前記接続デバイス（２６）は、前記座部（３３）を少なくとも部分的に規定する管状体（４２）と、前記入口（３４）と前記出口（３７）を規定する前記管状体（４２）に接続された流体部（４１）を備えていることを特徴とする請求項１に記載のキット。
【請求項３】
前記バルブ（３６）は、前記バルブが前記第一の位置にあるときに前記管状体（４２）に接合して配置される中心体（４５）と、前記接続デバイス（２６）の中をスライドする少なくとも一つのステム（４７）を有しているシャッター（４４）を備えていることを特徴とする請求項２に記載のキット。
【請求項４】
前記ステム（４７）は前記コンテナアッセンブリー（３）と共働するように適合されており、前記シャッター（４４）は第二のステム（４６）を備えており、前記流体部（４１）は、流体的に前記チャンバー（４３）と前記出口（３７）の間に配置され、前記コンテナアッセンブリー（３）が前記入口（３４）に流体的に接続されたときに前記第二のステム（４６）の少なくとも一部を収納する座部（５０）を規定していることを特徴とする請求項３に記載のキット。
【請求項５】
前記管状体（４２）は、前記少なくとも一つのステム（４７）をガイドするように構成されていることを特徴とする請求項３または４に記載のキット。
【請求項６】
前記少なくとも一つのステム（４７）と前記第二のステム（４６）と前記座部（５０）は、前記コンテナアッセンブリーが前記接続デバイス（２６）に接続されたとき、前記シャッター（４４）が前記第一の位置をいったん離れたなら、前記第二のステム（４６）が前記座部（５０）と連結しそれによってガイドされるように構成されていることを特徴とする請求項４および５に記載のキット。
【請求項７】
前記第二のステム（４６）が放射状凹部（５１）を備えていることを特徴とする請求項５または６に記載のキット。
【請求項８】
前記バルブ（３６）に接続可能な入口ポート（２３）と出口ポート（２７）を有しているシール液用のコンテナアッセンブリー（３）を備えていることを特徴とする先行請求項のいずれかに記載のキット。
【手続補正２】
【補正対象書類名】明細書
【補正対象項目名】００３０
【補正方法】変更
【補正の内容】
【００３０】
ここに開示され示されたキット１は、添付の特許請求の範囲で明示される保護範囲から逸脱しない範囲で修正または変更されてもよいことは最終的に明白である。
以下に、本願出願の当初の特許請求の範囲に記載された発明を付記する。
［１］膨張式アイテムを修理し膨張させるためのキットであり、ハウジング（２）と、前記ハウジング（２）内に収納されたコンプレッサーアッセンブリー（Ｃ）と、前記コンプレッサーアッセンブリー（Ｃ）に接続された入口（３４）と、シール液用のコンテナアッセンブリー（３）と前記入口（３４）に接続されるように適合された座部（３３）を有している接続デバイス（２６）と、前記コンテナアッセンブリー（３）が前記接続デバイス（２６）に接続されたときに自動的に開かれるとともに、前記コンテナアッセンブリー（３）が前記接続デバイス（２６）から切り離されたときに前記入口（３４）を前記座部（３３）から流体的に切り離すような第一の位置に弾性的に維持されるように構成されたバルブ（３６）と、前記コンプレッサーアッセンブリー（Ｃ）に流体的に接続されたフレキシブルチューブ（３８）を備えているキットにおいて、前記接続デバイス（２６）は、前記バルブ（３６）が第一の位置にあるときに前記入口（３４）に流体的に接続されるように前記バルブ（３６）に流体的に接続された出口（３７）を備えており、前記フレキシブルチューブ（３８）は前記出口（３７）に接続されていることを特徴とするキット。
［２］前記接続デバイス（２６）は、前記座部（３３）を少なくとも部分的に規定する管状体（４２）と、前記入口（３４）と前記出口（３７）を規定する前記管状体（４２）に接続された流体部（４１）を備えていることを特徴とする［１］に記載のキット。
［３］前記バルブ（３６）は、前記バルブが前記第一の位置にあるときに前記管状体（４２）に接合して配置される中心体（４５）と、前記接続デバイス（２６）の中をスライドする少なくとも一つのステム（４７）を有しているシャッター（４４）を備えていることを特徴とする［２］に記載のキット。
［４］前記ステム（４７）は前記コンテナアッセンブリー（３）と共働するように適合されており、前記シャッター（４４）は第二のステム（４６）を備えており、前記流体部（４１）は、流体的に前記チャンバー（４３）と前記出口（３７）の間に配置され、前記コンテナアッセンブリー（３）が前記入口（３４）に流体的に接続されたときに前記第二のステム（４６）の少なくとも一部を収納する座部（５０）を規定していることを特徴とする［３］に記載のキット。
［５］前記管状体（４２）は、前記少なくとも一つのステム（４７）をガイドするように構成されていることを特徴とする［４］または［５］に記載のキット。
［６］前記少なくとも一つのステム（４７）と前記第二のステム（４６）と前記座部（５０）は、前記コンテナアッセンブリーが前記接続デバイス（２６）に接続されたとき、前記シャッター（４４）が前記第一の位置をいったん離れたなら、前記第二のステム（４６）が前記座部（５０）と連結しそれによってガイドされるように構成されていることを特徴とする［４］および［５］に記載のキット。
［７］前記第二のステム（４６）が放射状凹部（５１）を備えていることを特徴とする［５］または［６］に記載のキット。
［８］前記バルブ（３６）に接続可能な入口ポート（２３）と出口ポート（２７）を有しているシール液用のコンテナアッセンブリー（３）を備えていることを特徴とする［１］〜［７］のいずれかに記載のキット。
【国際調査報告】
2013527050.tif 000006
2013527050.tif 000007